(57)【要約】      （修正有）【課題】エアフレームの外側への拡張を防ぎ、ウォーターベッドの使用寿命を延長すると共に、必要時にウォーターベッドの長さ・面積を増加することが可能なウォーターベッドの提供。【解決手段】ウォーターバッグ４はその内部に複数の仕切り片４１を備え、且つ、１つ以上の注水栓４２及び１つ以上の排気栓４３を備えており、ベッドケース６はその上面に複数の挿入・取り出し口６４を備え、そのうち、エアフレーム５は側面に横方向保護体５２を備え、該横方向保護体はその側縁部が高周波熱でエアフレームの側面上に接着されて該エアフレーム内部に設置され、該ベッドケースは四周に枠状の保護槽６２を備え、該保護槽内または外側に１つ以上の開口部６２１を設け、該エアフレームがその内部に挿入されると共に、該ベッドケース四周にエアフレームを貼り合わせるための粘着装置を設けたことを特徴とする。【選択図】図３
0003109795.tif 000002
【実用新案登録請求の範囲】
【請求項１】
ウォーターバッグ、エアフレーム及び枠状の保護槽を備えたベッドケースを含んで成り、そのうち、該ウォーターバッグはその内部に複数の仕切り片を備え、且つ、１つ以上の注水栓及び１つ以上の排気栓を備えており、該ベッドケースはその上面に複数の挿入・取り出し口を備え、そのうち、該エアフレームは側面に横方向保護体を備え、該横方向保護体はその側縁部が高周波熱でエアフレームの側面上に接着されて該エアフレーム内部に設置され、該ベッドケースは四周に枠状の保護槽を備え、該保護槽内または外側に１つ以上の開口部を設け、該エアフレームがその内部に挿入されると共に、該ベッドケース四周にエアフレームを貼り合わせるための粘着装置を設けたことを特徴とする、ウォーターベッド。   
【請求項２】
前記のうち、該エアフレーム上面に１つ以上の空気注入栓を設けた、請求項１に記載のウォーターベッド。
【請求項３】
前記のうち、該エアフレームが縦長の矩形を呈する、請求項１に記載のウォーターベッド。
【請求項４】
前記のうち、該ベッドケースの中央と、上下端にそれぞれ枠状の保護槽を設け、該エアフレームがその内部にそれぞれ挿入される、請求項１に記載のウォーターベッド。
【請求項５】
前記のうち、該保護槽上面に円孔を設け、その内部に挿入されたエアフレームの注水栓と排気栓が該円孔から露出された、請求項１に記載のウォーターベッド。
【請求項６】
前記のうち、該保護槽に挿入されたエアフレームをスポンジまたはその他支持可能な材料で代替した、請求項１に記載のウォーターベッド。
【請求項７】
前記のうち、該粘着装置が面ファスナーまたはファスナー等である、請求項１に記載のウォーターベッド。
【考案の詳細な説明】
【技術分野】
【０００１】
本考案はウォーターベッドに関し、特に、必要時にウォーターベッドの長さ・面積を増加でき、且つ、エアフレームが外側へ広がるのを防ぎ、ウォーターベッドの使用寿命を延長したウォーターベッドに関する。
【背景技術】
【０００２】
従来のウォーターベッドの構造は、ウォーターバッグ１及びベッドケース２により構成され、従来のダブルベッド型ウォーターベッドの立体図を図１に示す。図１のウォーターベッドのうち、左右に設置された２つのウォーターバッグ１は、その外囲層１１表面の適当な位置に注水栓１２を備え、該注水栓１２から水が注入される。さらに、ウォーターバッグの外囲層１１内に平行に間隔をおいて横方向仕切り片１３が複数設置され、該横方向仕切り片１３は中空の枠状であり、その適当な位置に水を流動させるための通水孔１４を備え、且つ、該横方向仕切り片１３の上部及び底部と、前記ウォーターバッグの外囲層１１の内壁が高周波熱で接着される。ベッドケース２はその上面に複数の挿入・取り出し口２１を備え、前述の注水していないウォーターバッグ１を折り畳んで圧縮した後、該挿入・取り出し口２１から挿入または取り出すことができると共に、該注水栓１２を挿入・取り出し口２１の位置に合わせ、ウォーターバッグ１の注水を容易にする。さらに、該ベッドケース２の周辺に連続した枠状のエアフレーム３が設置され、該エアフレーム３上に空気を充填するための空気注入栓３１を設けると共に、該エアフレーム３は縦方向に中央仕切り片３３を備え日の字形を呈し、２つの収納槽３２が形成され、上記２つのウォーターバッグ１をそれぞれその中に収納することができる。
【０００３】
しかしながら、上述の従来のウォーターベッドの構造には、下に示すようないくつかの欠点がある。
１、従来のウォーターベッドの構造は、ベッドケースとエアフレームが一体となっており、ベッドケースまたはエアフレームが長時間の使用で磨耗が発生した場合、一体となっているベッドケースとエアフレームを一緒に交換しなければならず、物品コストの増加を招き、ウォーターベッドの実用性に大きく影響する。
２、ウォーターベッドの組み立て完成時に、該ベッドケースの挿入・取り出し口とエアフレームの空気注入栓が外に露出した状態となり、ウォーターベッド外観の美観を損ねる。
３、従来のウォーターベッドの構造は、一定時間使用すると、エアフレームが外側へ広がりやすく、ウォーターベッドの使用寿命が短縮されてしまう。
【考案の開示】
【考案が解決しようとする課題】
【０００４】
このため、本考案の出願人は上述のような従来のウォーターベッドの欠点と不便な点に鑑みて研究を重ね、第９２２１２１２８号特許出願を行い、ウォーターベッドのエアフレームを交換可能とし、ウォーターベッド全体の実用性を向上したウォーターベッドを考案したが、実際の使用においてこれにはまだ以下のようないくつかの欠点があることが分かった。
【０００５】
１、該エアフレームが楕円形の設計であり、その両側に強化設計が施されていないため、エアフレームが外側に広がりやすく、ウォーターベッドの使用寿命が短くなってしまう。
２、該ウォーターベッドはサイズが固定されており、その長さや面積を増加することができないため、ウォーターベッドの実用性と利用効果が低い。
【０００６】
本考案の主な目的は、エアフレームの側面に横方向保護体を設置し、さらに、ベッドケース四方周囲に粘着装置を設けることにより、エアフレームが外側へ広がるのを防ぎウォーターベッドの使用寿命を延長すると共に、必要時にウォーターベッドの長さまたは面積を増加することが可能なウォーターベッドを提供することにある。
【課題を解決するための手段】
【０００７】
本考案のウォーターベッドは、主にウォーターバッグ、エアフレーム及び枠状の保護槽を備えたベッドケースを含んで成り、そのうち、該ウォーターバッグはその内部に複数の仕切り片を備え、且つ１つ以上の注水栓及び１つ以上の排気栓を備えており、使用者が該ウォーターバッグに対し注水と排気を同時に行うことができ、該エアフレームは縦長の矩形を呈し、その上面の適切な位置に少なくとも１つの空気注入栓を備え、且つ、該エアフレーム側面に横方向保護体が設置され、該横方向保護体はその側縁部が高周波熱でエアフレームの側面上に接着されて該エアフレーム内部に設置され、さらに、該ベッドケース上面の適切な位置に複数の挿入・取り出し口を設け、前述の注水していないウォーターバッグを折り畳んで圧縮した後、該挿入・取り出し口から挿入または取り出すことができると共に、前記注水栓及び排気栓と該挿入・取り出し口の位置を合わせ、該ウォーターバッグへの注水またはウォーターバッグ内の空気の排出を容易にし、さらに、該ベッドケースはその中間部に該ウォーターバッグが収納される収納槽を備え、その四周にも枠状の保護槽を設け、該保護槽内または外側に少なくとも１つの開口部を設け、前述のエアフレームが該保護槽内に挿入されると共に、該保護槽上面の適切な位置に円孔を設け、該エアフレームの空気注入栓と該円孔の位置を合わせ、さらに、該ベッドケース四周にエアフレームを貼り合わせるための粘着装置を設け、ウォーターバッグ全体の長さと面積を増加することを可能にしたことを特徴とする。
【考案を実施するための最良の形態】
【０００８】
以下、本考案のウォーターベッドについて、最良の実施例と図面に基づき、その効果、構造及び特徴をより詳細に説明する。
【０００９】
まず、図２及び図３に本考案のウォーターベッドの立体図を示す。本考案は主にウォーターバッグ４、エアフレーム５及び枠状の保護槽を備えたベッドケース６を含んで成り、該ウォーターバッグ４はその内部に複数の仕切り片４１を備え、且つ、１つ以上の注水栓４２と１つ以上の排気栓４３を備え、使用者が該ウォーターバッグ４に対し同時に注水と排気を行うことができる。
【００１０】
該エアフレーム５は、図４に示すように、縦長の矩形を呈し、その上面の適切な位置に１つ以上の空気注入栓５１を備え、且つ、その側面に横方向保護体５２が設置される。該横方向保護体５２は、その側縁部が高周波熱により該エアフレームの側面に溶接され、該エアフレーム５内部に設置される。
【００１１】
該ベッドケース６は、その上面の適切な位置に複数の挿入・取り出し口６４を備え、前述の注水前の折り畳んで圧縮したウォーターバッグ４が該挿入・取り出し口６４から出し入れされ、且つ、該注水栓４２及び排気栓４３と該挿入・取り出し口６４の位置を合わせ、ウォーターバッグ４への注水及び内部の空気の排気を容易にする。さらに、該ベッドケース６中間部に該ウォーターバッグ４が収納される収納槽６１を形成し、該ウォーターバッグ４がその内部に設置される。また、該ベッドケース６の四方周囲に枠状の保護槽６２を設け、該保護槽６２内または外側の適切な位置に１つ以上の開口部６２１を設け、前述のエアフレーム５が該開口部６２１から挿入されると共に、該保護槽６２上面の適切な位置に円孔６２２を設け、該エアフレーム５の空気注入栓５１と該円孔６２２の位置を合わせ、該空気注入栓５１を露出させる。さらに、該ベッドケース６の四方周囲に粘着装置６３（図７に示す）を設け、エアフレーム５を貼り合わせることで、ウォーターベッド全体の長さと面積を増加することができる。
【００１２】
上述を受け、ウォーターバッグ４をシングルベッドの設計とした場合、図３に示すように、複数の仕切り片４１一組を一列に配置し、該ベッドケース６は長さ・幅ともに小さい長方体に形成し、該複数の仕切り片４１を備えたウォーターバッグ４を該ベッドケース６内に設置する。また、該ウォーターバッグ４をダブルベッドの設計とした場合は、図５、図６に示すように、２つのウォーターバッグ４を左右に並べて設置する。該ウォーターバッグ４内には複数の仕切り片４１が設置され、該ベッドケース６中央に枠状の保護槽６２を設け、且つ、上下端にもそれぞれ２つの保護槽６２を形成し、それぞれにエアフレーム５が挿入されると共に、該ベッドケース６に２つのウォーターバッグ４の収納槽６１を形成し、該複数の仕切り片４１を備えた２つのウォーターバッグ４がそれぞれ該収納槽６１内に設置される。
【００１３】
上述を受け、該エアフレーム５に空気を充填した後、横方向保護体５２の設置により、該エアフレーム５の両側が外側に広がらず、その形状が維持されると同時に耐用性がより向上され、ウォーターベッドの使用寿命の延長につながる。さらに、本考案はベッドケース６の四周に粘着装置を設けることができ、エアフレーム５を貼り合わせることで、ウォーターベッド全体の長さ・幅・面積を増加することができ、ウォーターベッドの実用性と利用性が向上される。
【００１４】
このほか、該ベッドケース６四周及び中央に設けた枠状の保護槽６２に挿入されるエアフレーム５は、スポンジまたはその他支持可能な材料で代替することもでき、該ベッドケース６四周及び中央の形状の美観を保つことができる。
【００１５】
さらに、該ベッドケース６の四周に設けた粘着装置６３は、面ファスナーやファスナー等とすることができる。
【００１６】
以上の説明と図示は、本考案の実施例を示したものであり、本考案の実際の実施範囲を制限するものではなく、以上の説明及び特許申請範囲に記載された構造上の特徴及び機能に変更を加えたものも、本考案の特許権の範囲に含まれるものとみなす。
【図面の簡単な説明】
【００１７】
【図１】従来のダブルサイズウォーターベッドを示す立体透視図である。
【図２】本考案のシングルサイズウォーターベッドの立体外観図である。
【図３】本考案のシングルサイズウォーターベッドの立体透視図である。
【図４】本考案のエアフレームの立体透視図である。
【図５】本考案のダブルサイズウォーターベッドの立体外観図である。
【図６】本考案のダブルサイズウォーターベッドの立体透視図である。
【図７】本考案のダブルサイズウォーターベッドの粘着装置実施例を示す立体外観図である。
【符号の説明】
【００１８】
１          ウォーターバッグ
１１        外囲層
１２        注水栓
１３        仕切り片
１４        通水孔
２          ベッドケース
２１        挿入・取り出し口
３          エアフレーム
３１        空気注入栓
３２        収納槽
３３        中央仕切り片
４          ウォーターバッグ
４１        仕切り片
４２        注水栓
４３        排気栓
５          エアフレーム
５１        空気注入栓
５２        横方向保護体
６          ベッドケース
６１        収納槽
６２        保護槽
６２１      開口部
６２２      円孔
６３        粘着装置
６４        挿入・取り出し口
【図１】
0003109795.tif 000003
【図２】
0003109795.tif 000004
【図３】
0003109795.tif 000005
【図４】
0003109795.tif 000006
【図５】
0003109795.tif 000007
【図６】
0003109795.tif 000008
【図７】
0003109795.tif 000009